(57)【要約】【課題】複数の機能に係る表示を複数の表示領域で並行してそれぞれ選択的に行うことが可能な場合に、各表示領域の表示内容に係る機能種別を効率良く示すことが可能なアナログ電子時計を提供する。【解決手段】複数の表示領域にそれぞれ対応する指針と、可動表示部を有し、所定の機能表示又は各表示領域の表示内容の機能種別を示す表示を選択的に行う機能表示部と、少なくとも各表示領域の指針ごとに個別に動作させる指針駆動手段と、可動表示部を動作させる機能表示駆動手段と、機能種別とその表示を行わせる表示領域とを対応付けた表示設定を記憶する記憶手段と、表示設定の変更時に各表示領域の表示内容を変更させる表示種別変更制御手段と、各表示領域を示す領域標識と表示機能種別を示す機能標識とを互いに対応する位置に配置させ、各表示領域の表示内容の機能種別を表示させる表示種別報知制御手段とを備える。【選択図】図１
2014182045.tif 000002
【特許請求の範囲】
【請求項１】
複数の所定数の表示領域に対応して表示盤上にそれぞれ設けられた指針と、
可動表示部を有し、所定の機能に係る表示と、前記所定数の表示領域でそれぞれ表示されている内容の機能種別を示す表示とを選択的に行う機能表示部と、
前記指針を、少なくとも前記所定数の表示領域にそれぞれ対応する指針ごとに個別に動作させる指針駆動手段と、
前記可動表示部を動作させる機能表示駆動手段と、
機能種別と、当該機能種別に係る表示を行わせる前記表示領域とを対応付けた表示設定を記憶する記憶手段と、
前記表示設定が変更された場合に、前記指針駆動手段を動作させて、前記表示設定に応じて前記所定数の表示領域の表示内容を変更させる表示種別変更制御手段と、
所定の条件で、前記所定数の表示領域の各々を示す領域標識と、当該表示領域でそれぞれ表示されている内容の機能種別を示す機能標識とを互いに対応する位置に配置させる動作を前記機能表示駆動手段に行わせて、前記所定数の表示領域に表示されている内容に係る前記機能種別を表示させる表示種別報知制御手段と
を備えることを特徴とするアナログ電子時計。
【請求項２】
前記可動表示部は、回転板であり、
当該回転板面には、前記領域標識又は前記機能標識のうち一方の標識が円周上に配列されて設けられ、
前記表示盤には、前記一方の標識とは異なる他方の標識が設けられ、
前記一方の標識は、前記他方の標識に対応し得る組み合わせの配列が全て含まれるように配置されており、
前記表示種別報知制御手段は、前記回転板を回転動作させる
ことを特徴とする請求項１記載のアナログ電子時計。
【請求項３】
前記回転板は、前記表示盤の下部に設けられ、
前記表示盤には、前記所定数の前記一方の標識が露出される開口部が設けられている
ことを特徴とする請求項２記載のアナログ電子時計。
【請求項４】
前記所定数の表示領域は、それぞれ少なくとも一部が互いに異なる識別色で着色され、
前記領域標識は、それぞれ対応する前記表示領域の前記識別色で識別可能に設けられている
ことを特徴とする請求項１〜３の何れか一項に記載のアナログ電子時計。
【請求項５】
ユーザ操作を受け付ける操作手段と、
当該操作手段への操作入力に応じて前記記憶手段に記憶された前記表示設定を変更する表示種別変更設定手段と
を備えることを特徴とする請求項１〜４の何れか一項に記載のアナログ電子時計。
【請求項６】
前記所定の条件には、前記表示種別変更制御手段により前記所定数の表示領域の少なくとも何れかにおける表示内容が変更されたことが含まれることを特徴とする請求項１〜５の何れか一項に記載のアナログ電子時計。
【請求項７】
ユーザ操作を受け付ける操作手段を備え、
前記所定の条件には、前記操作手段への所定の入力操作が検出されることを含むことを特徴とする請求項１〜６の何れか一項に記載のアナログ電子時計。
【発明の詳細な説明】
【技術分野】
【０００１】
この発明は、アナログ電子時計に関する。
【背景技術】
【０００２】
従来、時刻表示機能に加えて、種々の機能に係る表示を行わせることが可能なアナログ電子時計がある。このような複数機能に係る表示が可能なアナログ電子時計としては、時刻表示に用いられる指針（時刻指針）に一時的に他の機能に係る表示を行わせるものと、時刻指針とは別個に他の機能に係る表示を行わせる指針（機能針）を備えているものとがある。
【０００３】
このような複数機能に係る表示を行うことが可能なアナログ電子時計では、現在どの機能に係る表示を行っているのかを示す指針（モード針）が更に設けられているものがある（例えば、特許文献１）。
【０００４】
しかしながら、複数の指針がそれぞれ並列に異なる機能に係る表示を行う場合には、何れの指針がどの機能に係る表示を行っているのかがユーザに分かり難いという問題がある。そこで、特許文献２には、表示させる機能に係る目盛を指針の一方の端部で指し示させると同時に、当該指針の他方の端部で当該目盛が示す機能種別を指し示させるように機能種別に係る標識を設ける技術が開示されている。
【先行技術文献】
【特許文献】
【０００５】
【特許文献１】実用新案登録第２６０１２２５号公報
【特許文献２】特開２０１０−６０３５５号公報
【発明の概要】
【発明が解決しようとする課題】
【０００６】
しかしながら、複数の表示領域に示される表示内容に係る機能種別が各々変更可能な場合には、それぞれの表示領域で何れの機能に係る表示を行わせているかをユーザが知得し難い。そして、このような場合に、従来のように当該表示領域の数に合わせてモード針を複数設けると、サイズや電力消費の増大を招くという課題がある。
【０００７】
この発明の目的は、複数の表示領域で並行して、互いに異なる機能に係る表示をそれぞれ選択的に行わせることが可能な場合に、各表示領域で何れの機能に係る表示が行われているかを効率良く表示させることが可能なアナログ電子時計を提供することにある。
【課題を解決するための手段】
【０００８】
本発明は、上記目的を達成するため、
複数の所定数の表示領域にそれぞれ対応して表示盤上に設けられた指針と、
可動表示部を有し、所定の機能に係る表示と、前記所定数の表示領域でそれぞれ表示されている内容の機能種別を示す表示とを選択的に行う機能表示部と、
少なくとも前記所定数の表示領域に対応する前記指針ごとに個別に動作させる指針駆動手段と、
前記可動表示部を動作させる機能表示駆動手段と、
機能種別と、当該機能種別に係る表示を行わせる前記表示領域とを対応付けた表示設定を記憶する記憶手段と、
前記表示設定が変更された場合に、前記指針駆動手段を動作させて、前記表示設定に応じて前記所定数の表示領域の表示内容を変更させる表示種別変更制御手段と、
所定の条件で、前記所定数の表示領域の各々を示す領域標識と、当該表示領域でそれぞれ表示されている内容の機能種別を示す機能標識とを互いに対応する位置に配置させる動作を前記機能表示駆動手段に行わせて、前記所定数の表示領域に表示されている内容に係る前記機能種別を表示させる表示種別報知制御手段と
を備えることを特徴とするアナログ電子時計である。
【発明の効果】
【０００９】
本発明に従うと、複数の表示領域で並行して、互いに異なる機能に係る表示をそれぞれ選択的に行わせることが可能なアナログ電子時計において、各表示領域で何れの機能に係る表示が行われているかを効率よく表示させることが出来るという効果がある。
【図面の簡単な説明】
【００１０】
【図１】本発明の第１実施形態のアナログ電子時計を示す平面図である。
【図２】第１実施形態のアナログ電子時計の回転板を示す平面図である。
【図３】アナログ電子時計の内部構成を示すブロック図である。
【図４】アナログ電子時計において切り替え可能な表示モードを示す図表である。
【図５】各表示モードにおける表示状態の例を示す第１実施形態のアナログ電子時計の平面図である。
【図６】機能表示位置確認処理の制御手順を示すフローチャートである。
【図７】機能表示位置変更処理の制御手順を示すフローチャートである。
【図８】第２実施形態のアナログ電子時計を示す平面図である。
【図９】第２実施形態のアナログ電子時計の回転板を示す平面図である。
【図１０】各表示モードにおける表示状態の例を示す第２実施形態のアナログ電子時計の平面図である。
【図１１】変形例のアナログ電子時計を示す平面図である。
【発明を実施するための形態】
【００１１】
以下、本発明の実施の形態を図面に基づいて説明する。
【００１２】
［第１実施形態］
図１は、本発明の第１実施形態のアナログ電子時計１００の平面図である。
【００１３】
本実施形態のアナログ電子時計１００は、図示略のバンドにより腕に装着可能な腕時計型のものであり、ケーシング２の内部に設けられた表示盤３と、表示盤３の上面を覆う図示略の風防ガラスとの間に、複数の指針が回転可能に配置されている。また、ケーシング２の側面部には、りゅうず３８１、及び、二つの押しボタンスイッチ３８２、３８３が設けられている。
【００１４】
複数の指針のうち、時針５１、分針５２、及び、秒針５３は、表示盤３の略中央に設けられた同一の回転軸の周りを回転する。以降、時針５１、分針５２、及び、秒針５３による表示をセンター表示と記し、当該センター表示に係る目盛が設けられた領域、及び、時針５１、分針５２、並びに、秒針５３により指し示される領域をセンター表示領域と記す。表示盤３には、１２時方向及び６時方向にそれぞれ表示領域４、５が設けられている。表示領域４の内部には、第一短小針５４及び第一長小針５５が回転可能に配置され、また、表示領域５の内部には、第二短小針５６及び第二長小針５７が回転可能に配置されている。
【００１５】
一方、表示盤３には、小窓７（開口部）が９時方向に設けられ、また、小窓８が３時方向に設けられている。小窓７からは、表示盤３の下面に設けられた回転板５８（可動表示部）の一部が露出されて、曜日又は機能種別を示す標識が露出される。また、表示盤３の下面に設けられた回転円板である日車５９の一部が小窓８から露出されて日付の表示が行われる。
【００１６】
図２は、回転板５８の平面図である。
この回転板５８には、３０度間隔で１２個の標識が設けられている。これら１２個の標識のうち７個は、日曜日〜土曜日の各曜日を表す標識「ＳＵ」、「ＭＯ」、「ＴＵ」、「ＷＥ」、「ＴＨ」、「ＦＲ」、「ＳＡ」である。残り５個の標識は、センター表示領域及び表示領域４、５で表示可能な３種類の機能（機能種別）を示す標識（機能標識、一方の標識）であり、現在時刻表示機能を示す標識「ＴＭ」、世界時計表示機能を示す標識「ＷＴ」、及び、ストップウォッチ表示機能を示す標識「ＳＴＷ」である。これらのうち、標識「ＴＭ」、「ＷＴ」が標識「ＳＴＷ」を挟んで両側に２個ずつ同一順で設けられている。
【００１７】
小窓７は、連続する３個の標識が露出可能な大きさで形成されている。この小窓７から３個の標識が露出される位置に略並行して、小窓７の隣接部分には、それぞれ異なる色（識別色）で着色された着色領域７ａ〜７ｃ（領域標識、他方の標識）が設けられている。このうち、中央の着色領域７ｂは、表示盤３の背景色と同色である。小窓８は、何れか一日分の日付を示す標識が露出可能な大きさで形成されている。
これらの小窓７、回転板５８、及び、着色領域７ａ〜７ｃにより機能表示部が構成される。
【００１８】
表示盤３には、センター表示領域の回転軸に対する円周上に１時から１２時の各方向を示す時字と、０秒から５９秒の各秒を示す秒目盛とが設けられている。また、これらの時字及び秒目盛が設けられた円周の更に外側、表示盤３の周縁部には、世界時計機能に係る表示を行う際に選択可能な都市名が略称で記載されている。
【００１９】
表示領域４、５には、同一の目盛が設けられている。本実施形態のアナログ電子時計１００では、内側に時字が設けられ、外側に各秒を示す目盛が設けられた二重の同心円状の目盛構成となっている。従って、センター表示領域及び表示領域４、５の３つの表示領域（所定数の表示領域）の何れであっても時刻の表示やストップウォッチ機能における秒値の表示を行わせることが出来る。表示領域４における秒目盛４ａは、着色領域７ａと同色に着色されている。一方、表示領域５における秒目盛５ａは、着色領域７ｃと同色に着色されている。
【００２０】
図３は、本実施形態のアナログ電子時計１００の内部構成を示すブロック図である。
【００２１】
このアナログ電子時計１００は、ＣＰＵ（Central Processing Unit）３１（表示種別変更制御手段、表示種別報知制御手段、表示種別変更設定手段）と、ＲＯＭ（Read Only Memory）３２と、ＲＡＭ（Random Access Memory）３３（記憶手段）と、発振回路３４と、分周回路３５と、時刻計数回路３６と、電源部３７と、操作部３８（操作手段）と、モータ駆動回路３９と、輪列機構６１〜６９と、ステッピングモータ７１〜７３、７５、７７〜７９と、時針５１と、分針５２と、秒針５３と、第一短小針５４と、第一長小針５５と、第二短小針５６と、第二長小針５７と、回転板５８と、日車５９などを備える。
【００２２】
ステッピングモータ７１〜７３は、それぞれ、輪列機構６１〜６３を介して時針５１、分針５２、及び、秒針５３を個別に回転動作させる。ステッピングモータ７５は、輪列機構６５を介して第一長小針５５を回転動作させ、また、輪列機構６５に連動する輪列機構６４を介して第一短小針５４を回転動作させる。ステッピングモータ７７は、輪列機構６７を介して第二長小針５７を回転動作させ、また、輪列機構６７に連動する輪列機構６６を介して第二短小針５６を回転動作させる。ステッピングモータ７８は、輪列機構６８を介して回転板５８を回転動作させ、ステッピングモータ７９は、輪列機構６９を介して日車５９を回転動作させる。
これらのうち、ステッピングモータ７１〜７３、７５、７７により指針駆動手段が構成され、ステッピングモータ７８により機能表示駆動手段が構成される。
【００２３】
ここで、第一短小針５４は、第一長小針５５より短く形成されており、第二短小針５６は、第二長小針５７より短く形成されている。即ち、第一短小針５４及び第二短小針５６は、センター表示領域における時針５１に対応し、また、第一長小針５５及び第二長小針５７は、センター表示領域における分針５２に対応するものとして設けられている。
【００２４】
ステッピングモータ７１〜７３、７５、７７〜７９は、モータ駆動回路３９から出力される駆動パルスにより駆動されて、所定の角度（例えば、１８０度）ずつステップ回転する。輪列機構６１〜６９は、それぞれ、複数の歯車が噛み合わされて所定のギア比で回転する構成であり、輪列機構６１〜６３、６５、６７〜６９におけるそれぞれ最後の歯車は、ステッピングモータ７１〜７３、７５、７７〜７９のステップ回転に連動してそれぞれ所定角度の回転動作を時針５１、分針５２、秒針５３、第一長小針５５、第二長小針５７、回転板５８、及び、日車５９に伝える。ここでは、時針５１、分針５２、第一長小針５５、第二長小針５７、及び、回転板５８は、一ステップ当たり１度回転移動し、秒針５３は、一ステップ当たり６度回転移動し、日車５９は、一ステップ当たり１／１２０度回転移動する。
【００２５】
輪列機構６４、６６は、輪列機構６５、６７の歯車の回転にそれぞれ連動して回転する歯車を有し、第一短小針５４及び第二短小針５６に所定角度の回転動作を伝える。第一短小針５４と第二短小針５６は、それぞれ、第一長小針５５及び第二長小針５７の回転に対し１：１２の比で回転する。即ち、第一長小針５５及び第二長小針５７が表示領域４、５の内部で各々の回転軸の周りを一周（３６０度回転）する間に、第一短小針５４及び第二短小針５６は、第一長小針５１及び第二長小針５７と同一の回転方向に３０度回転する。
【００２６】
ＣＰＵ３１は、各種演算処理を行い、アナログ電子時計１００の動作全体を統括制御する。ＲＯＭ３２は、アナログ電子時計１００の動作に係る制御プログラムや設定データを格納する。ＲＡＭ３３は、ＣＰＵ３１に作業用のメモリ空間を提供し、一時データや更新可能な設定データを記憶する揮発性メモリである。この更新可能な設定データには、３つの表示領域に各々表示させる内容の機能種別に係る表示設定が含まれる。ユーザにより設定更新が可能な設定データは、ＲＡＭ３３の他、フラッシュメモリなどの不揮発性メモリを備えて読み書き可能とされても良い。
【００２７】
モータ駆動回路３９は、ＣＰＵ３１から入力された制御信号に応じてステッピングモータ７１〜７３、７５、７７〜７９をそれぞれ駆動するための電圧駆動パルスを適切なタイミング及びパルス幅で出力する。
【００２８】
発振回路３４は、所定の周波数信号を生成する回路であり、ここでは、例えば、水晶発振回路が用いられている。分周回路３５は、この発振回路３４から入力された信号を、アナログ電子時計１００で用いられる各種周波数の信号に分周してＣＰＵ３１及び時刻計数回路３６に出力する。時刻計数回路３６は、分周回路３５から入力された信号を計数し、初期時刻に加算していくことで現在時刻を計数する。
【００２９】
電源部３７は、アナログ電子時計１００の各部に電力を供給する。この電源部３７としては、例えば、太陽光電池と二次電池との組み合わせであり、表示盤３に設けられた図示略のソーラーパネルを用いて発電された電力を各部に供給したり、二次電池に蓄電したりする。
【００３０】
操作部３８は、りゅうず３８１及び押しボタンスイッチ３８２、３８３を備え、ユーザによるこれらりゅうず３８１、押しボタンスイッチ３８２、３８３への入力操作を電気信号に変換してＣＰＵ３１に出力する。押しボタンスイッチ３８２、３８３は、例えば、ストップウォッチ機能に係る時間計測の開始、終了やリセットといった操作に用いられる。また、りゅうず３８１は、本実施形態のアナログ電子時計１００では、二段階の引き出し動作が可能となっており、当該引き出しの段階、回転動作の向きや回転角度、及び、これらと押しボタンスイッチ３８２、３８３の押下動作との組み合わせにより、例えば、世界時計表示に係る表示対象都市を切り替える動作が行われる。
【００３１】
次に、本実施形態のアナログ電子時計１００における機能表示について説明する。
【００３２】
本実施形態のアナログ電子時計１００では、センター表示領域、表示領域４、及び、表示領域５の３箇所で、現在時刻表示、世界時計表示、及び、ストップウォッチ表示の３機能に係る表示が同時並列的に行われる。また、通常、小窓７では曜日の表示が行われ、小窓８では日付の表示が行われる。センター表示、表示領域４、表示領域５の表示内容を確認する際、又は、表示内容を切り替える際には、対応する操作に応じて（所定の条件）小窓７では、各機能を示す３個の標識が着色領域７ａ〜７ｃと並ぶ位置で露出される。
【００３３】
現在時刻表示、世界時計表示、及び、ストップウォッチ表示の３機能に係る表示が行われる表示領域は、ユーザによる操作部３８への所定の入力操作に応じて切り替えることが出来る。そして、本実施形態のアナログ電子時計１００では、所定の操作により、小窓７において回転板５８を回転させて、どの表示領域で何れの機能に係る表示を行わせているか（機能表示位置）を表示させることが出来る。
【００３４】
図４は、アナログ電子時計１００において切り替え可能な表示モードを示す図表である。また、図５は、各表示モードに切り替えられた場合に機能表示位置の表示が行われている間の表示状態の例を示すアナログ電子時計１００の平面図である。
【００３５】
このアナログ電子時計１００では、図４に示すように、モードＡ、モードＢ、又は、モードＣの３種類の表示状態の間で順番に切換が行われる。通常状態では、図５（ａ）に示すように、モードＡ、即ち、現在時刻表示がセンター表示で行われ、世界時計表示が表示領域４で行われ、ストップウォッチ表示が表示領域５で行われる。ここでは、東京における現在時刻１５時３７分５２秒がセンター表示で指し示され、世界時計としてニューヨークにおける時刻１時３７分（５０秒〜５９秒）（東京と比較して−１４時間）が表示領域４で指し示され、ストップウォッチのリセット状態０分０秒が表示領域５で指し示されている。この表示モードで機能表示位置の表示が行われると、回転板５８は、小窓７において上側から順に（時計回りに）標識「ＷＴ」、「ＴＭ」、「ＳＴＷ」が露出されるように回転移動する。この回転移動により、世界時計表示は、隣接する着色領域７ａに対応する表示領域、即ち、表示領域４で行われ、現在時刻表示は、着色領域７ｂに対応する表示領域、即ち、センター表示で行われ、また、ストップウォッチ表示は、着色領域７ｃに対応する表示領域、即ち、表示領域５で行われることが示される。
【００３６】
次に、操作部３８への入力操作により表示モードが一回切り替えられると、モードＢの表示状態に移行し、図５（ｂ）に示すように、世界時計表示がセンター表示で行われ、ストップウォッチ表示が表示領域４で行われ、現在時刻表示が表示領域５で行われる。この表示モードで機能表示位置の表示が行われると、回転板５８は、小窓７において上側から順に標識「ＳＴＷ」、「ＷＴ」、「ＴＭ」が露出されるように回転移動する。
【００３７】
操作部３８への入力操作により表示モードが再度切り替えられると、モードＣの表示状態に移行し、図５（ｃ）に示すように、ストップウォッチ表示がセンター表示で行われ、現在時刻表示が表示領域４で行われ、世界時計表示が表示領域５で行われる。この表示モードで機能表示位置の表示が行われると、回転板５８は、小窓７において上側から順に標識「ＴＭ」、「ＳＴＷ」、「ＷＴ」が露出されるように回転移動する。
更にもう一度操作部３８への入力操作が行われて表示モードが切り替えられると、表示状態は、モードＡに復帰する。
【００３８】
このような、回転板５８、小窓７、及び、着色領域７ａ〜７ｃを用いた各表示領域の表示内容を示す表示動作は、表示モードの切り替えが確定した際、及び、操作部３８へのユーザによる機能表示位置の確認命令に係る入力操作が行われた際に行われる。
【００３９】
図６は、ＣＰＵ３１が実行する機能表示位置確認処理の制御手順を示すフローチャートである。
【００４０】
この機能表示位置確認処理は、ユーザによる操作部３８への所定の入力操作、例えば、りゅうず３８１の一段階の引き出し操作により開始される。機能表示位置確認処理が開始されると、ＣＰＵ３１は、先ず、現在各表示領域に表示されている表示内容の機能種別に係る情報を取得する（ステップＳ１０１）。
【００４１】
次いで、ＣＰＵ３１は、モータ駆動回路３９に制御信号を出力して、ストップウォッチ機能に係る表示が行われている表示領域に対応する着色領域７ａ〜７ｃの位置と、回転板５８における標識「ＳＴＷ」の位置が並列に配置されるように回転板５８を曜日表示位置から回転移動させる（ステップＳ１０５）。ＣＰＵ３１は、回転移動の終了後、所定の時間が経過したか否かを判別し（ステップＳ１０６）、所定の時間が経過していないと判別されている間（ステップＳ１０６で“ＮＯ”）、ステップＳ１０６の処理を繰り返す。
【００４２】
所定の時間が経過したと判別された場合（ステップＳ１０６で“ＹＥＳ”）には、ＣＰＵ３１は、モータ駆動回路３９に制御信号を出力して、回転板５８を当初の曜日表示位置に移動させる（ステップＳ１０７）。そして、ＣＰＵ３１は、機能表示位置確認処理を終了する。
【００４３】
図７は、ＣＰＵ３１が実行する機能表示位置変更処理の制御手順を示すフローチャートである。
この機能表示位置変更処理は、機能表示位置確認処理におけるステップＳ１０１の処理の代わりにステップＳ１０２〜Ｓ１０４の処理が行われ、また、ステップＳ１０６の処理がステップＳ１０６ａの処理に変更されている。その他の処理は、機能表示位置確認処理と同一であり、同一の符号を付して説明を省略する。
【００４４】
この機能表示位置変更処理は、ユーザにより操作部３８に機能表示位置の変更設定を行う操作入力がなされた場合に開始される。機能表示位置変更処理が開始されると、ＣＰＵ３１は、操作部３８から表示位置変更に係る操作、例えば、りゅうず３８１が一段階引き出された状態での回転操作の検出信号が入力されたか否かを判別する（ステップＳ１０２）。入力されたと判別された場合には（ステップＳ１０２で“ＹＥＳ”）、ＣＰＵ３１は、機能表示位置を変更する設定を行う（ステップＳ１０３）。それから、ＣＰＵ３１の処理は、ステップＳ１０２に戻る。
【００４５】
一方、操作部３８から表示位置変更に係る操作の検出信号が入力されていないと判別された場合には（ステップＳ１０２で“ＮＯ”）、ＣＰＵ３１は、当該表示位置変更に係る操作が検出されずに所定時間（例えば、２分おきの各時間）経過したか、又は、操作部３８から表示位置変更処理の終了に係る操作の検出信号が入力されたかを判別する（ステップＳ１０４）。何れにも該当しないと判別された場合には（ステップＳ１０４で“ＮＯ”）、ＣＰＵ３１の処理は、ステップＳ１０２に戻る。
【００４６】
ステップＳ１０４の判別処理において、何れかの条件に該当すると判別された場合には（ステップＳ１０４で“ＹＥＳ”）、ＣＰＵ３１は、ステップＳ１０５の処理を実行する。それから、ＣＰＵ３１は、該当した条件が終了操作の検出であったか否かを判別する（ステップＳ１０６ａ）。終了操作の検出ではないと判別された場合には（ステップＳ１０６ａで“ＮＯ”）、ＣＰＵ３１の処理は、ステップＳ１０２に戻る。
【００４７】
終了操作の検出であったと判別された場合には（ステップＳ１０６ａで“ＹＥＳ”）、ＣＰＵ３１は、ステップＳ１０７の処理を実行し、その後、機能表示位置変更処理を終了する。
【００４８】
以上のように、本実施形態のアナログ電子時計１００は、表示盤３にセンター表示領域の他、表示領域４、５を有し、表示領域ごとに指針が設けられている。これらの指針５１〜５７は、ステッピングモータ７１〜７３、７５、７７により表示領域ごとに個別に回転動作される。また、表示盤の９時方向には、小窓７が設けられており、回転板５８が回転されることで当該回転板５８の表面に設けられた標識が３個露出される。小窓７に隣接して３つの表示領域を示す領域標識が設けられている。この回転板５８を用いて曜日表示又は各表示領域の表示内容に係る機能種別の表示が選択的に行われる。このアナログ電子時計１００では、現在時刻表示機能、世界時計表示機能、及び、ストップウォッチ表示機能に係る表示を同時並列的に行うことが可能であり、何れの機能がどの表示領域で表示されるかについては、ＲＡＭ３３に設定が記憶され、当該設定が変更されると、各表示領域への表示内容がそれぞれ変更される。そして、この表示領域の変更が行われた場合や、表示位置の確認命令が操作部３８に入力された場合には、回転板５８上に設けられた標識のうち、機能種別を表す機能標識を露出させて領域標識と並列配置させることで、各表示領域で表示されている内容に係る機能種別を表示させる。このように、複数の表示領域で同時並列的に複数の機能に係る表示が行われ、且つ、各表示領域で表示させる内容を適宜変更可能である場合に、この回転板５８を用いることで、専用のステッピングモータや指針を設けることなく容易にどの表示領域で何れの機能種別に係る表示が行われているかをユーザに示すことが出来る。
【００４９】
また、領域標識又は機能標識の一方が回転板５８に設けられ、小窓７の縁部に他方が設けられ、回転板５８を回転させることで対応する両者を並列させて複数の表示領域の表示内容に係る種別をまとめて表示させることが出来るので、１個のステッピングモータに係る動作のみで速やかに表示を切り替えることが出来る。
【００５０】
また、回転板５８を表示盤３の下部に設け、必要な数の標識のみを小窓７から露出させるので、不要な部分を文字盤上に表示させる必要がなく、ユーザが必要な情報を取得しやすく、また、表示盤３のデザインの制約を必要以上に増やさない。
【００５１】
また、領域標識と各表示領域とが色分けにより対応付けられているので、より容易に何れの表示領域でどの機能種別に係る表示が行われているかをユーザが知得することが出来る。
【００５２】
また、操作部３８への入力操作に基づいて各表示領域に表示させている内容の機能種別を変更することが出来るので、複数の機能に係る必要な表示を同時並列的に行わせることが出来、このときにユーザがどの表示領域で何れの機能種別に係る表示を行わせているかを容易に確認することが出来る。
【００５３】
また、各表示領域における表示内容の機能種別が変更された場合に、当該変更内容について確認表示がなされるので、ユーザは、正しく変更されたか否かについて容易に確認することが出来る。
【００５４】
また、複数の情報を表示させたまま一番重要な情報をセンター表示で行わせるといった利便性を確保しつつ、当該複数の情報が何れの表示領域で行われているかを容易に確認することが出来る。特に、秒針５３が設けられているセンター表示で時刻表示を行わせることで、秒単位の時刻を指し示すことが出来る一方、ストップウォッチ表示を行わせることで、例えば、秒針５３により１／２０秒単位の表示を行わせることも可能になるので、このアナログ電子時計１００は、必要な情報精度に応じて表示領域を切り替える利便性を備え、且つ、何れの表示領域でどの機能種別に係る表示を行わせているかを容易に示すことが出来る。
【００５５】
また、変更した後長い時間が経過した場合などに、ユーザがどのような変更を行ったかを覚えていない場合でも、操作部３８への確認動作の命令入力によって容易に各表示領域の表示内容の機能種別を容易に確認することが出来るので、わざわざユーザが一度表示領域の変更動作を行わなくても良い。
【００５６】
［第２実施形態］
次に、第２実施形態のアナログ電子時計１００ａについて説明する。
図８は、第２実施形態のアナログ電子時計１００ａの平面図である。
【００５７】
この第２実施形態のアナログ電子時計１００ａは、第１実施形態のアナログ電子時計１００における表示盤３が表示盤３ａに変更され、また、回転板５８が回転板５８ａに変更された点を除いて同一であり、同一の構成要素には同一の符号を付して説明を省略する。
【００５８】
図８に示すように、第２実施形態のアナログ電子時計１００ａに係る表示盤３ａでは、小窓７の周縁に設けられた着色領域７ａ〜７ｃの代わりに、３種類の機能に係る標識「ＷＴ」（７ｄ）、「ＴＭ」（７ｅ）、「ＳＴＷ」（７ｆ）が設けられている。
【００５９】
図９は、第２実施形態のアナログ電子時計１００ａの回転板５８ａを示す平面図である。
【００６０】
この回転板５８ａは、３０度間隔で設けられた７個の曜日標識に加え、残りの１５０度の範囲が３０度ごとに５分割されて着色されている。これらの５分割された着色領域５８１〜５８５のうち、時計回りに１、４番目の着色領域５８１、５８４は、表示領域４の秒目盛４ａの色と同色であり、２、５番目の着色領域５８２、５８５は、表示盤３ａの背景色と同色であり、３番目の着色領域５８３は、表示領域５の秒目盛５ａと同色となっている。
【００６１】
即ち、本実施形態のアナログ電子時計１００ａでは、第１実施形態のアナログ電子時計１００とは反対に、回転板５８ａを回転移動させて、３個の標識７ｄ〜７ｆにそれぞれ着色領域５８１〜５８５のうち３つの部分を対応させることで、表示領域４、センター表示領域、及び、表示領域５における表示内容が示される。
【００６２】
図１０は、本実施形態のアナログ電子時計１００ａにおいて、各表示モードにおいて機能表示位置の確認動作が行われた場合の表示状態の例を示すアナログ電子時計１００ａの平面図である。
このとき、回転板５８ａ以外の指針５１〜５７の位置は、図５に示した第１実施形態における指針位置と同一であり、説明を省略する。
【００６３】
図４に示すモードＡでは、図１０（ａ）に示すように、回転板５８ａは、小窓７において上から順に（即ち、時計回りに）、表示領域４の識別色の領域、表示盤３ａの背景色の領域、表示領域５の識別色の領域が配列されるように移動される。即ち、小窓７からは、着色領域５８１、５８２、５８３が露出される。
【００６４】
また、図４に示すモードＢでは、図１０（ｂ）に示すように、回転板５８ａは、小窓７において上から順に、表示盤３ａの背景色の領域、表示領域５の識別色の領域、表示領域４の識別色の領域が配列されるように移動される。即ち、小窓７からは、着色領域５８２、５８３、５８４が露出される。
【００６５】
また、図４に示すモードＣでは、図１０（ｃ）に示すように、回転板５８ａは、小窓７において上から順に、表示領域５の識別色の領域、表示領域４の識別色の領域、表示盤３ａの背景色の領域が配列されるように移動される。即ち、小窓７からは、着色領域５８３、５８４、５８５が露出される。
【００６６】
以上のように、この第２実施形態のアナログ電子時計１００ａでは、回転板５８ａに表示領域を示す領域標識が設けられ、小窓７の縁部に機能種別を示す機能標識が設けられて、回転板５８ａを回転させて対応する領域標識と機能標識とを並列配置させることで、各表示領域に表示されている内容の機能種別をユーザが知得することが出来る。即ち、第１実施形態のアナログ電子時計１００とは、領域標識と機能標識の配置が逆であっても同様に機能種別の表示を容易に行わせることが可能である。
【００６７】
また、回転板５８ａに、曜日を示す標識とは異なる色分けされた標識が設けられることで、曜日表示又は各機能表示が行われている位置を示す表示の何れが行われているかをユーザが認識し易い。
【００６８】
［変形例］
図１１は、第２実施形態のアナログ電子時計１００ａの変形例を示すアナログ電子時計１００ｂの平面図である。
【００６９】
この変形例のアナログ電子時計１００ｂでは、表示盤３ｂに小窓７が設けられておらず、代わりに、回転板５８ａが表示盤３ｂの面上に設けられている。従って、回転板５８ａは、全て、表示盤３ｂ上に露出されるが、第２実施形態のアナログ電子時計１００ａと同様に、曜日を示す標識又は表示されている機能を示す着色領域５８１〜５８５のうち３つが表示盤３ｂ上の標識「ＷＴ」（７ｄ）、「ＴＭ」（７ｅ）、「ＳＴＷ」（７ｆ）とそれぞれ並列配置されることで示される。
【００７０】
この変形例に係るアナログ電子時計１００ｂのように、回転板５８ａが表示盤３ｂ上に設けられていても、同様に、ステッピングモータ、及び、指針や回転板の数を増やさずに各表示領域で表示されている内容の機能種別を容易にまとめて表示させてユーザに知得させることが出来る。
【００７１】
なお、本発明は、上記実施の形態に限られるものではなく、様々な変更が可能である。
例えば、上記実施の形態では、センター表示に係る時針５１、分針５２、秒針５３が独立駆動され、表示領域４、５のそれぞれ二本の小針が連動して駆動される場合を例に挙げて説明したが、異なる表示領域の指針が独立に駆動され、また、表示領域間で表示内容が入れ換えられても支障なく表示可能である限り、各表示領域内の指針の本数やこれらの指針の駆動機構については、適宜変更可能である。
【００７２】
また、上記実施の形態では、一つの回転板で曜日表示（機能表示）と機能表示位置表示とを兼用させたが、回転板が複数枚設けられていても良い。
【００７３】
また、上記実施の形態では、センター表示の他に、表示領域４、５が設けられる場合を例に挙げて説明したが、異なる表示領域が３つ別個に時計の表示画面に設けられても良い。
【００７４】
また、上記実施の形態では、３つの表示領域の表示順を３つの表示領域間で順番に移動させる場合について説明したが、表示領域の数は、３つに限られない。また、２つの表示領域に表示させる内容の機能種別を入れ換えたりすることも出来る。このような場合には、３つの表示領域で表示させる機能種別の組み合わせが全て表示可能なように回転板５８、５８ａに標識が設けられることになる。組み合わせ数が多い場合には、例えば、機能種別を示す３つの標識の組み合わせを回転板５８、５８ａの同一角度方向に並列配置し、小窓７から当該一の角度方向の標識の組み合わせのみを露出させ、着色領域７ａ〜７ｃを当該小窓７に隣接する角度方向に配列させても良い。
【００７５】
また、上記実施の形態では、回転板５８、５８ａを回転させて３つの標識を選択的に露出させることとしたが、水平方向に直線移動する移動板や巻き取り式の幕による表示を用いて標識を露出させても良い。
【００７６】
また、上記実施の形態では、現在時刻表示機能、世界時計表示機能、及び、ストップウォッチ表示機能の３機能を例に上げて説明したが、これら以外の機能、例えば、アラーム機能、タイマー機能、その他の計測センサにより計測された値や方向を示す機能に用いても良い。
【００７７】
また、３種類の機能の入れ換えだけではなく、４種類以上の機能から選択的に３種類の機能に係る表示を行わせる場合であっても良い。
【００７８】
また、上記実施の形態では、領域標識を色分けにより示すこととしたが、他の方式であっても良い。例えば、各表示領域に名称や番号を設定して当該名称や番号を用いた領域標識を設けても良い。
【００７９】
また、上記実施の形態では、腕時計を例に挙げて説明したが、他の形態のアナログ電子時計、例えば、懐中時計や小型の携帯置時計であっても良い。
その他、上記実施の形態で示した具体的な数値、配置、構成などの細部は、本発明の趣旨を逸脱しない範囲において適宜変更可能である。
【００８０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８１】
［付記］
＜請求項１＞
複数の所定数の表示領域に対応して表示盤上にそれぞれ設けられた指針と、
可動表示部を有し、所定の機能に係る表示と、前記所定数の表示領域でそれぞれ表示されている内容の機能種別を示す表示とを選択的に行う機能表示部と、
前記指針を、少なくとも前記所定数の表示領域にそれぞれ対応する指針ごとに個別に動作させる指針駆動手段と、
前記可動表示部を動作させる機能表示駆動手段と、
機能種別と、当該機能種別に係る表示を行わせる前記表示領域とを対応付けた表示設定を記憶する記憶手段と、
前記表示設定が変更された場合に、前記指針駆動手段を動作させて、前記表示設定に応じて前記所定数の表示領域の表示内容を変更させる表示種別変更制御手段と、
所定の条件で、前記所定数の表示領域の各々を示す領域標識と、当該表示領域でそれぞれ表示されている内容の機能種別を示す機能標識とを互いに対応する位置に配置させる動作を前記機能表示駆動手段に行わせて、前記所定数の表示領域に表示されている内容に係る前記機能種別を表示させる表示種別報知制御手段と
を備えることを特徴とするアナログ電子時計。
＜請求項２＞
前記可動表示部は、回転板であり、
当該回転板面には、前記領域標識又は前記機能標識のうち一方の標識が円周上に配列されて設けられ、
前記表示盤には、前記一方の標識とは異なる他方の標識が設けられ、
前記一方の標識は、前記他方の標識に対応し得る組み合わせの配列が全て含まれるように配置されており、
前記表示種別報知制御手段は、前記回転板を回転動作させる
ことを特徴とする請求項１記載のアナログ電子時計。
＜請求項３＞
前記回転板は、前記表示盤の下部に設けられ、
前記表示盤には、前記所定数の前記一方の標識が露出される開口部が設けられている
ことを特徴とする請求項２記載のアナログ電子時計。
＜請求項４＞
前記所定数の表示領域は、それぞれ少なくとも一部が互いに異なる識別色で着色され、
前記領域標識は、それぞれ対応する前記表示領域の前記識別色で識別可能に設けられている
ことを特徴とする請求項１〜３の何れか一項に記載のアナログ電子時計。
＜請求項５＞
ユーザ操作を受け付ける操作手段と、
当該操作手段への操作入力に応じて前記記憶手段に記憶された前記表示設定を変更する表示種別変更設定手段と
を備えることを特徴とする請求項１〜４の何れか一項に記載のアナログ電子時計。
＜請求項６＞
前記所定の条件には、前記表示種別変更制御手段により前記所定数の表示領域の少なくとも何れかにおける表示内容が変更されたことが含まれることを特徴とする請求項１〜５の何れか一項に記載のアナログ電子時計。
＜請求項７＞
ユーザ操作を受け付ける操作手段を備え、
前記所定の条件には、前記操作手段への所定の入力操作が検出されることを含むことを特徴とする請求項１〜６の何れか一項に記載のアナログ電子時計。
【符号の説明】
【００８２】
２     ケーシング
３     表示盤
３ａ   表示盤
３ｂ   表示盤
４     表示領域
４ａ   秒目盛
５     表示領域
５ａ   秒目盛
７     小窓
７ａ〜７ｃ    着色領域
７ｄ〜７ｆ    標識
８     小窓
３１   ＣＰＵ
３２   ＲＯＭ
３３   ＲＡＭ
３４   発振回路
３５   分周回路
３６   時刻計数回路
３７   電源部
３８   操作部
３９   モータ駆動回路
５１   時針
５２   分針
５３   秒針
５４   第一短小針
５５   第一長小針
５６   第二短小針
５７   第二長小針
５８   回転板
５８ａ 回転板
５９   日車
６１〜６９    輪列機構
７１〜７３    ステッピングモータ
７５   ステッピングモータ
７７   ステッピングモータ
７８   ステッピングモータ
７９   ステッピングモータ
１００ アナログ電子時計
１００ａ      アナログ電子時計
１００ｂ      アナログ電子時計
３８１ りゅうず
３８２ 押しボタンスイッチ
３８３ 押しボタンスイッチ
５８１〜５８５       着色領域
【図１】
2014182045.tif 000003
【図２】
2014182045.tif 000004
【図３】
2014182045.tif 000005
【図４】
2014182045.tif 000006
【図５】
2014182045.tif 000007
【図６】
2014182045.tif 000008
【図７】
2014182045.tif 000009
【図８】
2014182045.tif 000010
【図９】
2014182045.tif 000011
【図１０】
2014182045.tif 000012
【図１１】
2014182045.tif 000013